(57)【要約】【課題】  一方の前板が収納箱体とともに引き出されている状態において、他方の前板が引き出されることを防止できる両引き引出し構造を提供する。【解決手段】  引出し本体７は、収納箱体８と、正面側前板９と、背面側前板１０とを有し、両前板９、１０は収納庫１内の側板７５に設けた固定レール体１１、１２、１３、１４に摺動自在の支持レール１９、２０、２１、２２にそれぞれ固着されており、両前板９、１０のいずれか一方の前板１０が外方に引き出されたときには、その前板１０と収納箱体８とが連結状態となり、かつ他方の前板９と収納箱体８とが分離状態となる両引き引出し構造であって、両前板９、１０のいずれか一方の前板１０と収納箱体８とが連結状態で外方に引き出されたことに応じて、他方の前板９の開放を阻止する開放阻止手段９１、９３を備える。【選択図】  図２
2007020739.tif 000002
【特許請求の範囲】
【請求項１】
引出し本体は、収納箱体と、正面側前板と、背面側前板とを有し、前記両前板は収納庫内の側板に設けた固定レール体に摺動自在の支持レールにそれぞれ固着されており、両前板のいずれか一方の前板が外方に引き出されたときには、その前板と収納箱体とが連結状態となり、かつ他方の前板と収納箱体とが分離状態となる両引き引出し構造であって、
両前板のいずれか一方の前板と収納箱体とが連結状態で外方に引き出されたことに応じて、他方の前板の開放を阻止する開放阻止手段を備えることを特徴とする両引き引出し構造。
【請求項２】
前記開放阻止手段は、一方の前板が外方に引き出されたことに応じて、他方の前板と前記収納庫とを連結状態として該他方の前板の開放を阻止することを特徴とする請求項１に記載の両引き引出し構造。
【請求項３】
前記開放阻止手段は、前記前板とともに移動する移動体に対して当接可能に設けられる当接部と、前記前板または前記収納庫のいずれかに設けられた被係合部に係合可能な係合部と、を備え、該係合部は、前記当接部と前記移動体との当接に連動して、前記被係合部に係合する係合位置と、前記被係合部に対する係合が解除される係合解除位置と、に切替自在に設けられていることを特徴とする請求項１または２に記載の両引き引出し構造。
【請求項４】
前記当接部及び前記係合部は、回動自在に設けられた１つの係合部材に一体的に設けられていることを特徴とする請求項３に記載の両引き引出し構造。
【請求項５】
前記係合部材は、前記収納箱体が前記収納位置に収納されている状態において、前記当接部が前記移動体に当接して前記係合部が前記係合解除位置に保持されるとともに、前記収納箱体が引き出されて前記当接部と前記移動体との当接が解除されることで、当該係合部材が回動して前記係合部が前記係合位置に切り替わることを特徴とする請求項４に記載の両引き引出し構造。
【請求項６】
前記被係合部には、前記係合部を前記係合解除位置に向けて案内するためのテーパ面が形成されていることを特徴とする請求項３ないし５のいずれかに記載の両引き引出し構造。
【請求項７】
請求項１ないし６のいずれかに記載の両引き引出し構造を備えたことを特徴とするキッチン台。
【発明の詳細な説明】
【技術分野】
【０００１】
本発明は、引出し本体を収納庫の正面側からも背面側からも引き出すことができる双方向に引き出し自在な両引き引出し構造に関する。
【背景技術】
【０００２】
両引き引出しは、例えば特許文献１に記載されているように、主婦がキッチン側で調理を終えハッチカウンタ上で盛り付けを行った後、ダイニング側に移動してダイニング側から引出しを開けその内に収納してある所望のスプーン、フォーク等の食器具等を取り出してダイニングテーブル上にて配膳し、その後、ダイニングテーブル上の使用済み食器等をハッチカウンタ上に片付け、キッチン側に移動して使用済み食器の洗浄を行い、キッチン側から引出しを開けてその洗浄した食器具等を引出し内に速やかに収納することができるので便利である。
【０００３】
しかし、特許文献１の両引き引出し構造では、引出しを一方側から引き出すと他方側には凹み空間が形成されるので、体裁が悪いばかりでなく、引き出す度に気になり、しかもその凹み空間にゴミ等が入り込み易くなっている。そこで本出願人は、特許文献２に記載されているように、一方の前板が収納箱体とともに連結状態となって外方に引き出されても、引出しの反対側は他方の前板で塞ぐことができる両引き引出し構造を開発し、既に特許出願している。
【０００４】
【特許文献１】特開平５−２７７０１７号公報（第２頁、図１）
【特許文献２】特開２００４−１８８１１０号公報（第５頁、第３図）
【発明の開示】
【発明が解決しようとする課題】
【０００５】
しかしながら、前記特許文献２に記載の両引き引出し構造にあっては、一方の前板が収納箱体とともに引き出された状態において、他方の前板も引き出し可能な状態であるため、使用者が誤って他方の前板を引き出したり、振動や引っかかり等の要因により前板が開放してしまうことがあり、このような場合、他方側の凹み空間が露出して外観体裁が損なわれたり、ゴミ等が凹み空間に入り込み易くなるといった問題があった。
【０００６】
本発明は、このような状況に鑑みてなされたものであり、一方の前板が収納箱体とともに引き出されている状態において、他方の前板が引き出されることを防止できる両引き引出し構造を提供することを目的とするものである。
【課題を解決するための手段】
【０００７】
前記課題を解決するために、本発明の請求項１に記載の両引き引出し構造は、
引出し本体は、収納箱体と、正面側前板と、背面側前板とを有し、前記両前板は収納庫内の側板に設けた固定レール体に摺動自在の支持レールにそれぞれ固着されており、両前板のいずれか一方の前板が外方に引き出されたときには、その前板と収納箱体とが連結状態となり、かつ他方の前板と収納箱体とが分離状態となる両引き引出し構造であって、
両前板のいずれか一方の前板と収納箱体とが連結状態で外方に引き出されたことに応じて、他方の前板の開放を阻止する開放阻止手段を備えることを特徴としている。
この特徴によれば、いずれの前板も収納箱体とともに外方に引き出されていない状態では、両前板とも開放可能であるため、前板をスムーズに引き出すことができるとともに、一方の前板が収納箱体とともに外方に引き出された場合には、他方の前板の開放が阻止されることで、誤って他方の前板が引き出されたり、振動や引っかかり等の要因により前板が開放してしまうことがないため、前板の開放により凹み空間が露呈して外観体裁が損なわれたり、凹み空間内へゴミが進入することが確実に防止される。
【０００８】
本発明の請求項２に記載の両引き引出し構造は、請求項１に記載の両引き引出し構造であって、
前記開放阻止手段は、一方の前板が外方に引き出されたことに応じて、他方の前板と前記収納庫とを連結状態として該他方の前板の開放を阻止することを特徴としている。
この特徴によれば、一方の前板が外方に引き出されたことに応じて、他方の前板は強度が高い収納庫と連結状態になるので、他方の前板の開放を確実に阻止できる。
【０００９】
本発明の請求項３に記載の両引き引出し構造は、請求項１または２に記載の両引き引出し構造であって、
前記開放阻止手段は、前記前板とともに移動する移動体に対して当接可能に設けられる当接部と、前記前板または前記収納庫のいずれかに設けられた被係合部に係合可能な係合部と、を備え、該係合部は、前記当接部と前記移動体との当接に連動して、前記被係合部に係合する係合位置と、前記被係合部に対する係合が解除される係合解除位置と、に切替自在に設けられていることを特徴としている。
この特徴によれば、当接部と移動体との当接に連動して、被係合部に対して係合部が係合または解除されるので、簡素な構成で開放阻止手段を形成できる。
尚、前記移動体とは、いずれか一方の前板が引き出された際に該前板の引き出しに応じて移動するものであって、例えば収納箱体や支持レール等を含む。
【００１０】
本発明の請求項４に記載の両引き引出し構造は、請求項３に記載の両引き引出し構造であって、
前記当接部及び前記係合部は、回動自在に設けられた１つの係合部材に一体的に設けられていることを特徴としている。
この特徴によれば、当接部と係合部とをリンク部材等を介して連動させることなく、当接部と移動体との当接に連動して、係合部が前記係合位置または前記係合解除位置に確実に切り替わるため、開放阻止手段の構造が簡素化される。
【００１１】
本発明の請求項５に記載の両引き引出し構造は、請求項４に記載の両引き引出し構造であって、
前記係合部材は、前記収納箱体が前記収納位置に収納されている状態において、前記当接部が前記移動体に当接して前記係合部が前記係合解除位置に保持されるとともに、前記収納箱体が引き出されて前記当接部と前記移動体との当接が解除されることで、当該係合部材が回動して前記係合部が前記係合位置に切り替わることを特徴としている。
この特徴によれば、収納箱体が収納位置に収納されているときには係合部が係合解除位置に保持されるとともに、収納箱体が引き出されると係合部材が回動して係合部が被係合部に係合するので、引出しの引き出し操作に応じて、係合部と被係合部との係合及び解除の切り替えが自動的に行われるようになる。
【００１２】
本発明の請求項６に記載の両引き引出し構造は、請求項３ないし５のいずれかに記載の両引き引出し構造であって、
前記被係合部には、前記係合部を前記係合解除位置に向けて案内するためのテーパ面が形成されていることを特徴としている。
この特徴によれば、前板を閉鎖する際に、係合部が被係合部に形成されたテーパ面にて係合解除位置までスムーズに案内される。
【００１３】
本発明のキッチン台は、請求項１ないし６のいずれかに記載の両引き引出し構造を備えたことを特徴としている。
この特徴によれば、使用者がキッチン台の正面側と背面側の双方から引出し本体内の収納物を出し入れできるので、キッチン台を周り込んで移動する必要がなくなる。
【発明を実施するための最良の形態】
【００１４】
本発明に係る両引き引出し構造を実施するための最良の形態を実施例に基づいて以下に説明する。
【実施例】
【００１５】
本発明の実施例を図面に基づいて説明すると、先ず図１は、本発明の実施例における両引き引出し構造を備えた収納庫としてのキッチン台を示す斜視図である。図１の符号１は、本発明の両引き引出し構造が適用されたキッチン台１であり、このキッチン台１は、システムキッチンなどにおけるキッチンとダイニングの間に設置されるようになっている。
【００１６】
図１に示すように、このキッチン台１は左右に脚体２、３が配置され、この脚体２、３の上部には、蛇口４やシンク５等が設けられた天板６が配置されており、キッチン台１の正面側はキッチンに向き、背面側はダイニングに向くようになっている。また、食器等を収納できるように、本実施例における引出し本体としての両引き引出し７を備えており、この両引き引出し７は、正面側及び背面側の何れか一方向に引き出せる収納箱体８を有している。
【００１７】
更に、この両引き引出し７には、収納箱体８と別体の２枚の前板９、１０が正面側と背面側とに設けられており、正面側の前板９を引き出せば収納箱体８は連動して正面側の外方に引き出され、背面側の前板１０を引き出せば背面側に引き出せるので、使用者がキッチン台１を周り込んで移動することなく、キッチン及びダイニングのどちらからでも収納箱体８内の食器等の収納物を取り出すことができるようになっている。
【００１８】
次に、両引き引出し７の具体的構造について図２に基づいて説明すると、図２は、両引き引出し７を示す斜視図であり、以下、図２の左斜め上を正面側、右斜め下を背面側として説明する。
【００１９】
図２及び図４に示すように、収納箱体８を挟んで正面側に前板９、背面側に前板１０が配置されており、収納箱体８の両側部には、４つの固定レール体１１、１２、１３、１４が配置され、それぞれの固定レール体１１、１２、１３、１４には、摺動体１５、１６、１７、１８を介して全引き出し（フルエクステンション）可能な支持レール１９、２０、２１、２２が伸縮自在に取り付けられている。
【００２０】
支持レール１９、２０、２１、２２の外方側の端部には、連結部２３、２４、２５、２６が設けられ、前板９、１０の裏面に固着された取付体３１、３２、３３（図３参照）に対して、連結部２３、２４、２５、２６が連結されることで、それぞれの前板９、１０が支持レール１９、２０、２１、２２に固定されており、正面側の前板９に固定された１組の水平な支持レール１９、２１と、背面側の前板１０に固定された１組の水平な支持レール２０、２２が上下に重畳して配置されている。また、それぞれの前板９、１０の上辺には、引出し７を開放させる際に、使用者が掴むことができる横長の把手３４、３５が、前板９、１０の長手方向に沿って設けられている。
【００２１】
更に図２に示すように、各々の前板９、１０の裏面には、いずれか一方の前板９、１０が収納箱体８とともに外方に引き出されたことに応じて、他方の前板９、１０の開放を阻止する本実施例における開放阻止手段としてのロックユニット９１、９２、９３、９４が取り付けられている。このロックユニット９１、９２、９３、９４は、１つの前板９、１０の裏面における左右端部近傍に２つ取り付けられている。
【００２２】
そして収納箱体８の側部には、４つのメインローラー５１、５２、５３、５４と、４つの補助ローラー５５、５６、５７、５８が取り付けられ、図２に示すように、収納箱体８が背面側に引き出された状態では、収納箱体８の上方に配置されているメインローラー５２、５４と補助ローラー５６、５８を介して、収納箱体８が上方の支持レール２０、２２上に載置されている。複数のローラーを用いて収納箱体８が支持レール１９、２０、２１、２２上に載置されることで、収納箱体８が動き易くなっている。
【００２３】
更に、両引き引出し７の具体的構造について詳述すると、図３は、両引き引出し７を示す縦断側面図であり、図４は、図３におけるＡ−Ａ縦断面図であり、以下、図３の左側を正面側、右側を背面側として説明する。
【００２４】
図３に示すように、下方の支持レール１９に対応したメインローラー５１と補助ローラー５５はそれぞれ同じ高さの枢軸８１、８２に軸支されるとともに、上方の支持レール２０に対応したメインローラー５２と補助ローラー５６はそれぞれ同じ高さの枢軸８３、８４に軸支されている。また、支持レール１９、２０の内方側の端部（自由端部）には、後述するように引出し７を出し入れする際に、メインローラー５１、５２、５３、５４及び補助ローラー５５、５６、５７、５８が支持レール１９、２０に乗り上げ易くするために設けられた傾斜部材４４、４５が取り付けられている。
【００２５】
補助ローラー５５、５６の直径はメインローラー５１、５２の直径よりも小さく形成されており、図３に示すように、収納箱体８が収納位置にあるときには、直径の小さな補助ローラー５５、５６は支持レール１９、２０の上面に当接されておらず、補助ローラー５６の最下点はメインローラー５２の最下点より上方に位置し、側面視で対角線上に配置されているメインローラー５１とメインローラー５２のみが、上下のそれぞれの支持レール１９、２０の上面に載置され、収納箱体８の一側面が前後２つの支持位置で支持されるようになっている。
【００２６】
そのため収納箱体８を支持するための最小限度の支持位置（メインローラー５１、５２、５３、５４）の４点で収納箱体８を支持することができ、両引き引出し７の組み立ての際に、多少の製作誤差が生じても、収納箱体８をがたつかせることなくスムーズに出し入れできるようになっているとともに、収納箱体８が収納位置にある時に、補助ローラー５５、５６が支持レール１９、２０から離れるため、摺動摩擦抵抗が少なくなっている。
【００２７】
支持レール１９、２０、２１、２２の端部に取り付けられた連結部２３、２４、２５、２６内側部には、回動レバー２７、２８、２９、３０が枢軸５９、６０を軸として垂直方向に回動自在に支承され、回動レバー２７、２８の内方側の端部には、第１係合片６１、６２が上方に延設されている。この第１係合片６１、６２の近傍には、第２係合片６３、６４が延設されるとともに、回動レバー２７、２８の内方側の先端部にはテーパ６５、６６が形成されている。
【００２８】
そして図３に示すように、収納箱体８の側部には、係合ピン７９、８０が設けられており、この係合ピン７９、８０は第１係合片６１、６２もしくは第２係合片６３、６４のいずれかに係合できるようになっている。
【００２９】
また、図３に示す回動レバー２７、２８の下方には係止部６７、６８が形成され、前板９、１０が閉められた状態では、この回動レバー２７、２８の係止部６７、６８が、固定レール体１１、１２に固着された係止片６９、７０に係止されるようになっており、正面側及び背面側双方の回動レバー２７、２８が係合ピン７９、８０と外れるので、回動レバー２７、２８は収納箱体８との分離状態を維持することができ、収納箱体８は収納位置に配置されるようになる。
【００３０】
更に、枢軸５９、６０を境に、回動レバー２７、２８の外方側の重さは、回動レバー２７、２８の内方側の重さよりも重くなるように形成され、前板９、１０が引き出されたときに、固定レール体１１、１２の係止片６９、７０から回動レバー２７、２８の係止部６７、６８が離れ、回動レバー２７、２８は、自重によって内方側が上方に回動されるようになっている。
【００３１】
また、回動レバー２７、２８の枢軸５９、６０には、付加的に巻きバネ（図示略）等の付勢手段が設けられ、自重による回動と巻きバネ（図示略）によって、回動レバー２７、２８の作動不良を極力低減できるようになっている。回動レバー２７、２８の外方側には、縦長の案内孔７１、７２が形成されており、連結部２３、２４に固定されたガイドピン７３、７４が案内孔７１、７２に挿通されることで、回動レバー２７、２８の回動が所定範囲で規制されるようになっている。
【００３２】
更に、図３に示すそれぞれの固定レール体１１、１２、１３、１４の内側部には、エアダンパー３６、３７、３８、３９が固着されており、それぞれの支持レール１９、２０の略中央部には、エアダンパー３６、３７に立設された当接片４０、４１に当接できるように当接部４２、４３が設けられている。
【００３３】
尚、両引き引出し７の下方に配置されるキッチン台１の底板９０には、ロックユニット９１、９２、９３、９４が係合される本実施例における被係合部としての突起部９５、９６が設けられている。この突起部９５、９６は、底板９０における正面側の前板９近傍、及び背面側の前板１０近傍におけるロックユニット９１、９２、９３、９４に対応した位置に取り付けられている。
【００３４】
図４に示すように、この固定レール体１１、１２は、断面が略Ｌ字状に形成され、ネジ（図示略）によりキッチン台１の板材７５（側板）に固着され、上下の支持レール１９、２０は断面が略Ｃ字状をなし、摺動体１５、１６を介して固定レール体１１、１２と連結されるとともに、支持レール１９、２０及び固定レール体１１、１２と、摺動体１５、１６との間にはボール７６が複数配置されている。摺動体１５、１６とボール７６を介することにより、摺動摩擦抵抗が少なくなり、それぞれの支持レール１９、２０がキッチン台１の正面方向及び背面方向に円滑に摺動案内されるようになるとともに、支持レール１９、２０を固定レール体１１、１２に対して広範囲に引き出し可能とすることができる。
【００３５】
収納箱体８の両側部には、上下２段の断面視で略コ字形状をなす隠蔽片７７、７８が形成されている。収納箱体８の両側部は同一構成なので、収納箱体８の片方の側部について説明すると、図４に示すように、隠蔽片７７、７８の内部に、上下の支持レール１９、２０及び摺動体１５、１６が配置されるようになっており、コンパクトに収納したレール構造を提供できるようになっている。
【００３６】
尚、図４に示すように、メインローラー５１、５２、５３、５４と、補助ローラー５５、５６、５７、５８、支持レール１９、２０と、摺動体１５、１６と、係合ピン７９、８０と、回動レバー２７、２８とが、隠蔽片７７、７８の内側に配置されることで、こられの部材が、引出し７を引き出したときに外部から隠蔽されるので、引出し７の見栄えを良くすることができる。
【００３７】
更に図４に示すように、固定レール体１１、１２の内側部に設けられたエアダンパー３６、３７は、収納箱体８と、板材７５との間に配置されており、常に外部から隠蔽されるとともに、引出し７を引き出したときであっても収納箱体８によって隠蔽されるので、キッチン台１の美観が向上するようになっている。
【００３８】
両引き引出し７の使用例について図５から図８を用いて詳述すると図５は、回動レバー２７と係合ピン７９を示す側面図であり、図６は、引出し７が引き出されたときの側面図であり、図７は、正面側の引出し７が引き出されたときの縦断側面図であり、図８は、背面側の引出し７が引き出されたときの縦断側面図であり、以下、図５から図８の左側を正面側、右側を背面側として説明する。
【００３９】
回動レバー２７、２８の動きについて詳述すると、図５に示すように、使用者が正面側の前板９の把手３４を掴んで正面方向（前板側）に引くと、回動レバー２７の係止部６７が、固定レール体１１の係止片６９から離れるので、回動レバー２７が枢軸５９を中心に回転するようになり、このとき第２係合片６３の高さは第１係合片６１の高さよりも低くなるように形成されているため、回動レバー２７の第２係合片６３が収納箱体８の係合ピン７９の下方を通過し易くなっている。
【００４０】
そして図６に示すように、収納箱体８の係合ピン７９が回動レバー２７の第１係合片６１に係合されると、正面側の前板９と収納箱体８とが連結状態になり、前板９の移動とともに収納箱体８が正面側の外方（前板側）に引き出されるようになっている。第１係合片６１は第２係合片６３よりも高くなるように形成されているため、係合ピン７９の下方を第２係合片６３が通過した後、係合ピン７９が第１係合片６１に係合され易くなっており、回動レバー２７の作動不良が低減されるようになっている。
【００４１】
図７に示すように、正面側の前板９と収納箱体８が引き出された際には、背面側の前板１０は、収納箱体８と分離状態になり、収納箱体８と連動せず残るため、この前板１０でキッチン台１の背面側を塞ぐことができ、キッチン台１の背面側に凹みをつくらずに体裁が良くなるばかりか、正面側の引き出し操作に違和感がない。かつゴミ等の侵入を防ぐことができるようになっている。このように回動レバー２７、２８と係合ピン７９、８０という簡素な構成により、前板９、１０の引き出し操作に応じて前板９、１０と収納箱体８との自動連結及びその自動分離が実現できるようになっている。
【００４２】
正面側の前板９が所定位置以上に引き出されたときには、図７に示すように、上方に配置されているメインローラー５２が、上方の支持レール２０から脱輪するとともに、それとほぼ同時に下方に配置されている補助ローラー５５が、下方に配置されている支持レール１９の上面に載置されるようになっている。このとき下方に配置されているメインローラー５１と補助ローラー５５によって、支持レール１９の前方側と後方側の２つの支持位置で、収納箱体８が支持されるようになっている。
【００４３】
背面側の前板１０の把手３５を背面方向（前板側）に引いた際には、図８に示すように、上方の支持レール２０に設けられている背面側の回動レバー２８が作動し、背面側の前板１０と収納箱体８が連結状態になって背面方向（前板側）に引き出すことができ、所定位置以上引き出された場合、下方に配置されているメインローラー５１が、下方の支持レール１９から脱輪するとともに、上方に配置されている補助ローラー５６が上方に配置されている支持レール２０の上面に載置されるようになっている。このとき上方に配置されているメインローラー５２と補助ローラー５６によって前方側と後方側の２つの支持位置で、収納箱体８が上方の支持レール２０に支持されるようになっている。
【００４４】
収納箱体８が大きく引き出されたとき、すなわち上述した所定位置以上に引き出し量があった場合、収納箱体８がメインローラー５１、５２により前方側の支持位置で支持されることに加えて、補助ローラー５５、５６が支持レール１９、２０に乗り移ることによって、収納箱体８が後方側の支持位置でも支持されるように切り替るので、引出し７を大きく引き出して、収納箱体８を大きく開放させても安定して支持することができる。そのため収納箱体８内の正面側及び背面側のどちらかに食器具等の収納物が寄ることがあっても、双方から収納物を取り出し易くなっている。
【００４５】
次にロックユニット９１について図９から図１１を用いて説明すると、図９は、収納箱体８が収納位置にあるときの縦断側面図であり、図１０は、収納箱体８が背面側から引き出されたときの縦断側面図であり、図１１は、ロックユニット９１を示す斜視図である。以下、図９及び図１０の左側を正面側、右側を背面側として説明する。
【００４６】
図１１（ａ）に示すように、ロックユニット９１は、側面視で略Ｖ字形状をなし、本実施例における枢軸９７を中心に回動自在な係合部材９８を有している。この係合部材９８には、前板１０とともに移動する収納箱体８に対して当接可能に設けられる当接片９８ａ（当接部）と、係合孔９８ｂが貫通された係合片９８ｃ（係合部）との２つの片が形成されている。また、係合部材９８は、前板９に螺設された取付部材９９を介して前板９に固定されている。
【００４７】
尚、当接片９８ａに当接する収納箱体８が本実施例における移動体を構成しているが、この移動体とは、収納箱体８の引き出し移動に伴い移動する支持レール１９、２０、２１、２２を含み、更に、両前板９、１０のうち、いずれか一方の前板１０が収納箱体８とともに引き出し移動された場合は、その収納箱体８とともに移動する前板１０が、他方の前板９に対して移動体を構成する。
【００４８】
また、突起部９５は、キッチン台１の底板９０に螺設されており、この突起部９５は垂直面を有する略矩形状をなしている。更に、突起部９５の上端面は、外方側に向かって下がるように傾斜されたテーパ面９５ａが形成されている。尚、ロックユニット９１の係合部材９８は、その自重によって垂直方向に回動されるようになっており、図１１（ｂ）に示すように、前板９を閉塞された状態で係合部材９８が回動されると係合片９８ｃの係合孔９８ｂ内に、底板９０の突起部９５が挿入されて係合するようになっている。係合片９８ｃの係合孔９８ｂ内に、突起部９５が挿入された状態では、前板９が強度が高い底板９０と連結状態となり、この状態で使用者が把手３４を引いて前板９を開放しようとしても前板９の開放が確実に阻止される。
【００４９】
尚、本実施例における前板９と底板９０との連結状態とは、２つの部材が直接ではなく間接的に連結されていてもよく、例えば、底板９０と前板９が固定される支持レール１９とが連結されても、前板９と底板９０との相対的な移動が不可能になるので、前板９と底板９０とが連結状態であると見なすことができる。また、前板９が固定される支持レール１９と固定レール体１１とが相対的に移動不能になった場合であっても、前板９と底板９０とが連結状態であると見なす。
【００５０】
尚、図１１（ａ）に示す係合部材９８の係合片９８ｃが突起部９５から外れた状態が、本実施例における係合部材９８の係合解除位置となっており、図１１（ｂ）に示す係合部材９８の係合片９８ｃが突起部９５に係合された状態が、本実施例における係合部材９８の係合位置となっている。また、後述するように、当接片９８ａと収納箱体８との当接により枢軸９７を中心として係合部材９８が回動することで、係合片９８ｃが係合位置と係合解除位置とに可動するため、係合部材９８の構造が簡素化され、かつ略Ｖ字形状をなす係合部材９８という簡素な構成で開放阻止手段を形成できる。
【００５１】
図９に示すように、収納箱体８が収納位置にあるときには、収納箱体８が、ロックユニット９１の当接片９８ａに当接し、ロックユニット９１の係合片９８ｃが、底板９０の突起部９５の係合される方向に係合部材９８が回動されることを防ぐようになっており、ロックユニット９１と底板９０とは分離されている。
【００５２】
図１０に示すように、背面側の前板１０が引き出されると、収納箱体８も背面側に移動され、ロックユニット９１の当接片９８ａから離れる。すると、ロックユニット９１の係合部材９８が、その自重によって垂直方向に回動されてロックユニット９１の係合片９８ｃが底板９０の突起部９５に係合される。このようにロックユニット９１によって、一方の前板１０が収納箱体８とともに引き出されたときに、他方の前板９がキッチン台１の底板９０と連結状態になるので、前板９の開放を阻止される。尚、収納箱体８が収納位置にあるときには、両前板９、１０とも底板９０と分離されているので、連結状態の解除操作などを行うことなく前板９、１０をスムーズに引き出せるようになっている。
【００５３】
更に、使用者が正面側の前板９を引きだして、再び収納箱体８を収納位置に戻して前板９を閉鎖する際には、前板９が押し込まれ、回動レバー２７と係合ピン７９との分離位置の近傍で、下方の支持レール１９に設けられた当接部４２がエアダンパー３６に形成された当接片４０に当接され、エアダンパー３６の付勢力によって前板９、支持レール１９、及び収納箱体８の移動速度が共に減速される。すると、ロックユニット９１の係合片９８ｃが収納箱体８に当接し、係合部材９８が所定角度上方に回動された状態となり、その状態で係合片９８ｃの先端が、突起部９５のテーパ面９５ａに当接される（図５参照）。
【００５４】
このように突起部９５にテーパ面９５ａが形成されていることで、テーパ面９５ａに当接した係合片９８ｃが乗り上げるように回動され、係合片９８ｃがテーパ面９５ａにて係合解除位置（係合片９８ｃが突起部９５に係合できる位置）までスムーズに案内される。そして、前板９が完全に閉鎖されると、ロックユニット９１の当接片９８ａを収納箱体８が押圧し、係合部材９８が係合解除位置に保持され、前板９と底板９０の分離状態が維持される。
【００５５】
尚、本実施例によれば、一方の前板９が収納箱体８とともに外方に引き出されていない状態では、両前板９、１０とも開放可能であるため、前板９をスムーズに引き出すことができるとともに、一方の前板１０が収納箱体８とともに外方に引き出された場合には、他方の前板９の開放が阻止されることで、誤って他方の前板９が引き出されたり、振動や引っかかり等の要因により前板９が開放してしまうことがないため、前板１０の開放により凹み空間が露呈して外観体裁が損なわれたり、凹み空間内へゴミが進入することが確実に防止される。
【００５６】
尚、本実施例によれば、収納箱体８が収納位置に収納されているときには係合片９８ｃが係合解除位置に保持されるとともに、収納箱体８が引き出されると係合部材９８が自重によって垂直方向に回動して係合片９８ｃが突起部９５に係合するので、別途付勢手段等を用いることなく、係合片９８ｃと突起部９５との係合及び解除が行われるようにすることができる。
【００５７】
図１２及び図１３には、例えばキッチン台１の施工時や収納箱体８の清掃時等において収納箱体８が取り外されているときの両引き引出し７の状態が示されており、以下、このような状態における両引き引出し７の作用について説明する。図１２は、収納箱体８が取り外されたときの縦断側面図であり、図１３は、収納箱体が取り外された状態で前板を閉鎖したときの縦断側面図である。以下、図１２及び図１３の左側を正面側、右側を背面側として説明する。
【００５８】
図１２に示すように、正面側の前板９を所定位置以上に引き出された状態では、収納箱体８は、下方に配置されたメインローラー５１と補助ローラー５５によって、下方の支持レール１９に載置されている。この状態で使用者が収納箱体８を掴んで上方に持ち上げると、収納箱体８を前板９及び支持レール１９から容易に取り外すことができるようになっている。
【００５９】
このように前板９や支持レール１９をキッチン台１から取り外す必要がないとともに、工具等を用いずに収納箱体８を取り外すことができるため、収納箱体８の清掃やメンテナンスが容易にできるようになっており、収納箱体８を取り付けるときも、正面側の前板９を引き出し、下方に配置された支持レール１９上に収納箱体８を載置するだけで良いので、収納箱体８の取付作業が簡素化されるようになっている。
【００６０】
更に図１３に示すように、収納箱体８が取り外された状態で前板９を閉鎖しようとする際において、ロックユニット９１の当接片９８ａが収納箱体８にて保持されていないため、ロックユニット９１の係合片９８ｃの先端部が、突起部９５におけるテーパ面９５ａより下部の垂直面に当接し、係合片９８ｃが上方に回動して突起部９５に乗り上がって該突起部９５に係合しないようになっているため、前板９が所定間隔Ｄを残して完全に閉鎖されないようになっている。
【００６１】
このようにすれば、キッチン台１の施工時や清掃時等において、収納箱体８が取り外されている状態で、使用者がうっかり前板９を閉めてしまい、正面側及び背面側に配置される両方のロックユニット９１、９２が、突起部９５、９６に係合され、両方の前板９、１０が開かなくなってしまうことが防止される。
【００６２】
以上、本発明の実施例を図面により説明してきたが、具体的な構成はこれら実施例に限られるものではなく、本発明の要旨を逸脱しない範囲における変更や追加があっても本発明に含まれる。
【００６３】
例えば、前記実施例では、本発明の両引き引出し構造は、システムキッチンなどに用いられるシンク等が設けられたキッチン台に適用されていたが、本発明はこれに限定されるものではなく、その他の家庭用の家具等に備えて使用してもよいし、オフィス等で使われる机や棚等の什器類に適用してもよい。
【００６４】
また、前記実施例では、前板に設けられた開放阻止手段としてのロックユニットによって、前板とキッチン台の底板とを連結状態にすることで、前板がキッチン台に対して固定されて開放を阻止されていたが、本発明はこれに限定されるものではなく、開放阻止手段によって、前板とキッチン台の側板を連結状態にすることで、前板の開放を阻止してもよいし、前板とキッチン台の天板を連結状態にすることで、前板の開放を阻止してもよい。更に、開放阻止手段が前板と連結されている支持レールとキッチン台の天板や側板や底板とを連結状態にすることで、前板の開放を阻止してもよい。
【００６５】
また、前記実施例における開放阻止手段は、係合部材９８の回動にて前板の開放が阻止されるように構成されていたが、本発明はこれに限定されるものではなく、例えば一方の前板が引き出されたことを検出可能なセンサ等の検出手段と、検出手段が引き出されたことを検出したことに応じて、電磁ソレノイド等を励磁して前板をロックするロック手段と、を備える装置等にて開放阻止手段を構成してもよい。
【００６６】
また、前記実施例では、当接部としての当接片９８ａ及び係合部としての係合片９８ｃが、枢軸９７を中心に回動自在に設けられた１つの係合部材９８に一体的に設けられていたが、例えば当接片９８ａ及び係合片９８ｃをそれぞれ別個の部材にて構成するとともに、これら両部材をリンク部材等により連係し、該リンク部材を介して、当接片９８ａの収納箱体８との当接に連動して係合片９８ｃが係合位置または係合解除位置に切り替わるようにしてもよい。
【００６７】
また、前記実施例では、係合部材９８が自重によって垂直方向に回動して係合片９８ｃが突起部９５に係合するようになっていたが、本発明はこれに限定されるものではなく、別途、バネ等の付勢手段を用いて係合部材９８が回動付勢されることで、垂直方向に回動できる構成にし、係合片９８ｃと突起部９５との係合が行われるようにしてもよい。
【００６８】
また、前記実施例では、収納箱体８が収納位置にあるとき、両前板９、１０とも該収納箱体８と分離され、両前板９、１０のいずれか一方の前板９（１０）が外方に引き出されたとき、その前板９（１０）と収納箱体８とが連結状態になる構造であったが、本発明は、収納箱体８が収納位置にあるときに、必ずしも両前板９、１０と収納箱体８とが分離状態となるものに限定されるものではなく、例えば、収納箱体８が収納位置にあるとき、いずれか一方の前板９（１０）と収納箱体８とが連結状態のままとされるものでもよく、この場合には、その状態で収納箱体８と分離されている他方の前板１０（９）を引き出したときに、該他方の前板１０（９）と収納箱体８とが連結状態となり、かつ一方の前板９（１０）と収納箱体８との連結状態が解除されることで、前記他方の前板１０（９）とともに収納箱体８が引き出されることになる。
【００６９】
更に、例えば収納箱体８が収納位置にあるとき、両前板９、１０と収納箱体８とが連結状態とされるものでもよく、この場合には、その状態で一方の前板９（１０）を引き出したときに、他方の前板１０（９）と収納箱体８の連結状態が解除されることで、前記一方の前板９（１０）とともに収納箱体８が引き出されることになる。
【００７０】
つまり、本発明における両引出し構造にあっては、両前板９、１０のいずれか一方の前板９（１０）が外方に引き出されたときにおいて、その前板９（１０）と収納箱体８とが連結状態となり、かつ他方の前板１０（９）と収納箱体８とが分離状態となる構造であれば、収納箱体８が収納位置にあるときに、いずれか一方の前板９（１０）または両前板９、１０と収納箱体８とが連結状態のままとなるものであってもよい。
【図面の簡単な説明】
【００７１】
【図１】実施例における両引き引出し構造を備えたキッチン台を示す斜視図である。
【図２】両引き引出しを示す斜視図である。
【図３】両引き引出しを示す縦断側面図である。
【図４】図３におけるＡ−Ａ縦断面図である。
【図５】回動レバーと係合ピンを示す側面図である。
【図６】引出しが引き出されたときの側面図である。
【図７】正面側の引出しが引き出されたときの縦断側面図である。
【図８】背面側の引出しが引き出されたときの縦断側面図である。
【図９】収納箱体が収納位置にあるときの縦断側面図である。
【図１０】収納箱体が背面側から引き出されたときの縦断側面図である。
【図１１】ロックユニットを示す斜視図である。
【図１２】収納箱体が取り外されたときの縦断側面図である。
【図１３】収納箱体が取り外された状態で前板を閉鎖したときの縦断側面図である。
【符号の説明】
【００７２】
１                キッチン台（収納庫）
７                両引き引出し（引出し本体）
８                収納箱体
９、１０          前板
１１、１２        固定レール体
１３、１４        固定レール体
１９、２０        支持レール
２１、２２        支持レール
７５              板材（側板）
９１、９２        ロックユニット（開放阻止手段）
９３、９４        ロックユニット（開放阻止手段）
９５、９６        突起部（被係合部）
９５ａ            テーパ面
９７              枢軸
９８              係合部材
９８ａ            当接片（当接部）
９８ｂ            係合孔
９８ｃ            係合片（係合部）
【図１】
2007020739.tif 000003
【図２】
2007020739.tif 000004
【図３】
2007020739.tif 000005
【図４】
2007020739.tif 000006
【図５】
2007020739.tif 000007
【図６】
2007020739.tif 000008
【図７】
2007020739.tif 000009
【図８】
2007020739.tif 000010
【図９】
2007020739.tif 000011
【図１０】
2007020739.tif 000012
【図１１】
2007020739.tif 000013
【図１２】
2007020739.tif 000014
【図１３】
2007020739.tif 000015